(57)【特許請求の範囲】
【請求項１】
元データに第１の画像処理を施した第１の画像を表示する表示手段と、
前記第１の画像上の領域の指定を受け付ける受付手段と、
前記受付手段による前記領域の指定の受け付けに応じて、前記元データの当該領域に対応する部分に前記第１の画像処理とは異なる第２の画像処理を施した第２の画像を記憶する記憶手段と
を備え、
前記表示手段は、前記受付手段による前記領域の指定の受け付けに応じて、前記第２の画像を、前記第１の画像上の当該領域に重ねて表示し、
前記受付手段は、前記第１の画像上で前記第２の画像を移動させる際の移動先の領域である移動先領域の指定を受け付け、
前記表示手段は、前記受付手段による前記移動先領域の指定の受け付けに応じて、前記記憶手段に記憶された前記第２の画像を、前記第１の画像上の当該移動先領域に重ねて表示することを特徴とする表示装置。
【請求項２】
元データに第１の画像処理を施した第１の画像を表示する表示手段と、
前記第１の画像上の領域の指定を受け付ける受付手段と、
前記受付手段による前記領域の指定の受け付けに応じて、前記元データの当該領域に対応する部分に前記第１の画像処理とは異なる第２の画像処理を施した第２の画像を記憶する記憶手段と
を備え、
前記表示手段は、前記受付手段による前記領域の指定の受け付けに応じて、前記第２の画像を、前記第１の画像上の当該領域に重ねて表示し、
前記受付手段は、前記第１の画像上で前記第２の画像を拡大又は縮小する際の拡大又は縮小後の領域である拡縮後領域の指定を受け付け、
前記表示手段は、前記受付手段による前記拡縮後領域の指定の受け付けに応じて、前記記憶手段に記憶された前記第２の画像を当該拡縮後領域に応じた拡縮率で拡大又は縮小した画像を、前記第１の画像上の当該拡縮後領域に重ねて表示することを特徴とする表示装置。
【請求項３】
前記表示手段は、前記第１の画像の前記領域以外と前記第２の画像との間の境界の厚みをなくした状態で、前記第２の画像を、前記第１の画像上の当該領域に重ねて表示することを特徴とする請求項１又は請求項２に記載の表示装置。
【請求項４】
元データを保持する保持装置と、
前記保持装置にて保持される前記元データに基づく画像を表示する表示装置と
を備え、
前記表示装置は、
前記元データに第１の画像処理を施した第１の画像を表示する表示手段と、
前記第１の画像上の領域の指定を受け付ける受付手段と、
前記受付手段による前記領域の指定の受け付けに応じて、前記元データの当該領域に対応する部分に前記第１の画像処理とは異なる第２の画像処理を施した第２の画像を記憶する記憶手段と
を備え、
前記表示手段は、前記受付手段による前記領域の指定の受け付けに応じて、前記第２の画像を、前記第１の画像上の当該領域に重ねて表示し、
前記受付手段は、前記第１の画像上で前記第２の画像を移動させる際の移動先の領域である移動先領域の指定を受け付け、
前記表示手段は、前記受付手段による前記移動先領域の指定の受け付けに応じて、前記記憶手段に記憶された前記第２の画像を、前記第１の画像上の当該移動先領域に重ねて表示することを特徴とする表示システム。
【請求項５】
元データを保持する保持装置と、
前記保持装置にて保持される前記元データに基づく画像を表示する表示装置と
を備え、
前記表示装置は、
前記元データに第１の画像処理を施した第１の画像を表示する表示手段と、
前記第１の画像上の領域の指定を受け付ける受付手段と、
前記受付手段による前記領域の指定の受け付けに応じて、前記元データの当該領域に対応する部分に前記第１の画像処理とは異なる第２の画像処理を施した第２の画像を記憶する記憶手段と
を備え、
前記表示手段は、前記受付手段による前記領域の指定の受け付けに応じて、前記第２の画像を、前記第１の画像上の当該領域に重ねて表示し、
前記受付手段は、前記第１の画像上で前記第２の画像を拡大又は縮小する際の拡大又は縮小後の領域である拡縮後領域の指定を受け付け、
前記表示手段は、前記受付手段による前記拡縮後領域の指定の受け付けに応じて、前記記憶手段に記憶された前記第２の画像を当該拡縮後領域に応じた拡縮率で拡大又は縮小した画像を、前記第１の画像上の当該拡縮後領域に重ねて表示することを特徴とする表示システム。
【請求項６】
コンピュータに、
元データに第１の画像処理を施した第１の画像を表示する機能と、
前記第１の画像上の領域の指定を受け付ける機能と、
前記領域の指定の受け付けに応じて、前記元データの当該領域に対応する部分に前記第１の画像処理とは異なる第２の画像処理を施した第２の画像を記憶手段に記憶する機能と、
前記領域の指定の受け付けに応じて、前記第２の画像を、前記第１の画像上の当該領域に重ねて表示する機能と、
前記第１の画像上で前記第２の画像を移動させる際の移動先の領域である移動先領域の指定を受け付ける機能と、
前記移動先領域の指定の受け付けに応じて、前記記憶手段に記憶された前記第２の画像を、前記第１の画像上の当該移動先領域に重ねて表示する機能と
を実現させるためのプログラム。
【請求項７】
コンピュータに、
元データに第１の画像処理を施した第１の画像を表示する機能と、
前記第１の画像上の領域の指定を受け付ける機能と、
前記領域の指定の受け付けに応じて、前記元データの当該領域に対応する部分に前記第１の画像処理とは異なる第２の画像処理を施した第２の画像を記憶手段に記憶する機能と、
前記領域の指定の受け付けに応じて、前記第２の画像を、前記第１の画像上の当該領域に重ねて表示する機能と、
前記第１の画像上で前記第２の画像を拡大又は縮小する際の拡大又は縮小後の領域である拡縮後領域の指定を受け付ける機能と、
前記拡縮後領域の指定の受け付けに応じて、前記記憶手段に記憶された前記第２の画像を当該拡縮後領域に応じた拡縮率で拡大又は縮小した画像を、前記第１の画像上の当該拡縮後領域に重ねて表示する機能と
を実現させるためのプログラム。
【発明の詳細な説明】
【技術分野】
【０００１】
本発明は、表示装置、表示システム及びプログラムに関する。
【背景技術】
【０００２】
表示部を備え、記憶媒体に格納されている画像データを表示部に表示させる携帯機器であって、表示部に表示されるフレームデータが格納されるＶＲＡＭと、画像データをそのデータサイズに応じて変換処理をしてＶＲＡＭに格納し、ＶＲＡＭに格納されたフレームデータを表示部の表示パネルの大きさに応じた変換処理をして表示部に表示させる表示制御部とを備えたものは知られている（例えば、特許文献１参照）。
【０００３】
色変換の対象となる画像データを取得し、取得される画像データの画像中で使用されている色を判別し、判別された色に予め対応付けられている複数の色を示す変換候補色情報を取得し、取得される変換候補色情報が示す複数の色をモニタにて表示させ、モニタにて表示させた選択候補としての複数の色の内のいずれかを選択するユーザの選択操作に基づいて、使用色判別部にて判別された色を、選択操作により選択された色に色変換し、色変換された画像を所定の出力先に出力する色変換装置も知られている（例えば、特許文献２参照）。
【先行技術文献】
【特許文献】
【０００４】
【特許文献１】特開２００４−３８０６５号公報
【特許文献２】特開２０１２−９０２６８号公報
【発明の概要】
【発明が解決しようとする課題】
【０００５】
ここで、異なる画像処理を施した画像の見比べを行う際には、画像の表示の切り替えにより行う構成を採用することが考えられる。しかしながら、そのような構成を採用した場合は、画像の表示の切り替えを何度も行わなければ画像の見比べが行えず、画像の見比べを容易に行えるものとは言えない。
【０００６】
本発明の目的は、異なる画像処理を施した画像の見比べを、画像の表示の切り替えにより行う場合に比較して、容易に行うことにある。
【課題を解決するための手段】
【０００７】
請求項１に記載の発明は、元データに第１の画像処理を施した第１の画像を表示する表示手段と、前記第１の画像上の領域の指定を受け付ける受付手段と、前記受付手段による前記領域の指定の受け付けに応じて、前記元データの当該領域に対応する部分に前記第１の画像処理とは異なる第２の画像処理を施した第２の画像を記憶する記憶手段とを備え、前記表示手段は、前記受付手段による前記領域の指定の受け付けに応じて、前記第２の画像を、前記第１の画像上の当該領域に重ねて表示し、前記受付手段は、前記第１の画像上で前記第２の画像を移動させる際の移動先の領域である移動先領域の指定を受け付け、前記表示手段は、前記受付手段による前記移動先領域の指定の受け付けに応じて、前記記憶手段に記憶された前記第２の画像を、前記第１の画像上の当該移動先領域に重ねて表示することを特徴とする表示装置である。
請求項２に記載の発明は、元データに第１の画像処理を施した第１の画像を表示する表示手段と、前記第１の画像上の領域の指定を受け付ける受付手段と、前記受付手段による前記領域の指定の受け付けに応じて、前記元データの当該領域に対応する部分に前記第１の画像処理とは異なる第２の画像処理を施した第２の画像を記憶する記憶手段とを備え、前記表示手段は、前記受付手段による前記領域の指定の受け付けに応じて、前記第２の画像を、前記第１の画像上の当該領域に重ねて表示し、前記受付手段は、前記第１の画像上で前記第２の画像を拡大又は縮小する際の拡大又は縮小後の領域である拡縮後領域の指定を受け付け、前記表示手段は、前記受付手段による前記拡縮後領域の指定の受け付けに応じて、前記記憶手段に記憶された前記第２の画像を当該拡縮後領域に応じた拡縮率で拡大又は縮小した画像を、前記第１の画像上の当該拡縮後領域に重ねて表示することを特徴とする表示装置である。
請求項３に記載の発明は、前記表示手段は、前記第１の画像の前記領域以外と前記第２の画像との間の境界の厚みをなくした状態で、前記第２の画像を、前記第１の画像上の当該領域に重ねて表示することを特徴とする請求項１又は請求項２に記載の表示装置である。
請求項４に記載の発明は、元データを保持する保持装置と、前記保持装置にて保持される前記元データに基づく画像を表示する表示装置とを備え、前記表示装置は、前記元データに第１の画像処理を施した第１の画像を表示する表示手段と、前記第１の画像上の領域の指定を受け付ける受付手段と、前記受付手段による前記領域の指定の受け付けに応じて、前記元データの当該領域に対応する部分に前記第１の画像処理とは異なる第２の画像処理を施した第２の画像を記憶する記憶手段とを備え、前記表示手段は、前記受付手段による前記領域の指定の受け付けに応じて、前記第２の画像を、前記第１の画像上の当該領域に重ねて表示し、前記受付手段は、前記第１の画像上で前記第２の画像を移動させる際の移動先の領域である移動先領域の指定を受け付け、前記表示手段は、前記受付手段による前記移動先領域の指定の受け付けに応じて、前記記憶手段に記憶された前記第２の画像を、前記第１の画像上の当該移動先領域に重ねて表示することを特徴とする表示システムである。
請求項５に記載の発明は、元データを保持する保持装置と、前記保持装置にて保持される前記元データに基づく画像を表示する表示装置とを備え、前記表示装置は、前記元データに第１の画像処理を施した第１の画像を表示する表示手段と、前記第１の画像上の領域の指定を受け付ける受付手段と、前記受付手段による前記領域の指定の受け付けに応じて、前記元データの当該領域に対応する部分に前記第１の画像処理とは異なる第２の画像処理を施した第２の画像を記憶する記憶手段とを備え、前記表示手段は、前記受付手段による前記領域の指定の受け付けに応じて、前記第２の画像を、前記第１の画像上の当該領域に重ねて表示し、前記受付手段は、前記第１の画像上で前記第２の画像を拡大又は縮小する際の拡大又は縮小後の領域である拡縮後領域の指定を受け付け、前記表示手段は、前記受付手段による前記拡縮後領域の指定の受け付けに応じて、前記記憶手段に記憶された前記第２の画像を当該拡縮後領域に応じた拡縮率で拡大又は縮小した画像を、前記第１の画像上の当該拡縮後領域に重ねて表示することを特徴とする表示システムである。
請求項６に記載の発明は、コンピュータに、元データに第１の画像処理を施した第１の画像を表示する機能と、前記第１の画像上の領域の指定を受け付ける機能と、前記領域の指定の受け付けに応じて、前記元データの当該領域に対応する部分に前記第１の画像処理とは異なる第２の画像処理を施した第２の画像を記憶手段に記憶する機能と、前記領域の指定の受け付けに応じて、前記第２の画像を、前記第１の画像上の当該領域に重ねて表示する機能と、前記第１の画像上で前記第２の画像を移動させる際の移動先の領域である移動先領域の指定を受け付ける機能と、前記移動先領域の指定の受け付けに応じて、前記記憶手段に記憶された前記第２の画像を、前記第１の画像上の当該移動先領域に重ねて表示する機能とを実現させるためのプログラムである。
請求項７に記載の発明は、コンピュータに、元データに第１の画像処理を施した第１の画像を表示する機能と、前記第１の画像上の領域の指定を受け付ける機能と、前記領域の指定の受け付けに応じて、前記元データの当該領域に対応する部分に前記第１の画像処理とは異なる第２の画像処理を施した第２の画像を記憶手段に記憶する機能と、前記領域の指定の受け付けに応じて、前記第２の画像を、前記第１の画像上の当該領域に重ねて表示する機能と、前記第１の画像上で前記第２の画像を拡大又は縮小する際の拡大又は縮小後の領域である拡縮後領域の指定を受け付ける機能と、前記拡縮後領域の指定の受け付けに応じて、前記記憶手段に記憶された前記第２の画像を当該拡縮後領域に応じた拡縮率で拡大又は縮小した画像を、前記第１の画像上の当該拡縮後領域に重ねて表示する機能とを実現させるためのプログラムである。
【発明の効果】
【０００８】
請求項１の発明によれば、異なる画像処理を施した画像の見比べを、画像の表示の切り替えにより行う場合に比較して、容易に行うことができる。
請求項２の発明によれば、異なる画像処理を施した画像を見比べる際の一方の画像の領域の大きさの変更を、その都度領域の大きさを指定して行う場合に比較して、操作性良く行うことができる。
請求項３の発明によれば、異なる画像処理を施した画像の見比べを、画像間の境界の厚みがある場合に比較して、容易に行うことができる。
請求項４の発明によれば、異なる画像処理を施した画像の見比べを、画像の表示の切り替えにより行う場合に比較して、容易に行うことができる。
請求項５の発明によれば、異なる画像処理を施した画像を見比べる際の一方の画像の領域の大きさの変更を、その都度領域の大きさを指定して行う場合に比較して、操作性良く行うことができる。
請求項６の発明によれば、異なる画像処理を施した画像の見比べを、画像の表示の切り替えにより行う場合に比較して、容易に行うことができる。
請求項７の発明によれば、異なる画像処理を施した画像を見比べる際の一方の画像の領域の大きさの変更を、その都度領域の大きさを指定して行う場合に比較して、操作性良く行うことができる。
【図面の簡単な説明】
【０００９】
【図１】本発明の実施の形態における表示装置が表示するＧＵＩ（Graphic User Interface）の一例を示した図である。
【図２】通常ウィンドウと重ねウィンドウとの間の境界の厚みをなくした場合のＧＵＩの一例を示した図である。
【図３】第１の実施の形態で重ねウィンドウを移動させたときの状態の例を示した図である。
【図４】第１の実施の形態の第１の実施例における表示システムの構成例を示したブロック図である。
【図５】第１の実施の形態の第１の実施例における表示システムの動作例を示したフローチャートである。
【図６】第１の実施の形態の第２の実施例における表示システムの構成例を示したブロック図である。
【図７】第１の実施の形態の第２の実施例における表示システムの動作例を示したフローチャートである。
【図８】第２の実施の形態で重ねウィンドウを移動させたときの状態の例を示した図である。
【図９】第２の実施の形態における表示システムの構成例を示したブロック図である。
【図１０】第２の実施の形態における表示システムの動作例を示したフローチャートである。
【図１１】本発明の実施の形態を適用可能なコンピュータのハードウェア構成例を示した図である。
【発明を実施するための形態】
【００１０】
以下、添付図面を参照して、本発明の実施の形態について詳細に説明する。
【００１１】
［本実施の形態の概要］
パンフレット、チラシ、ポスター等の制作物は、表示装置、印刷装置、媒体等の利用環境によって出来映えが変わってくる。従って、制作物のデジタルデータ（以下、「制作物データ」という）を利用環境に応じた表色系で表示装置に表示して見比べる確認作業が必要になる。しかしながら、画面サイズが限られた表示装置（タブレット等）でこのような確認作業を行う場合、タブの切り替え操作等で見比べることは考えられるものの、これでは操作性が悪く、時間がかかる。
【００１２】
そこで、本実施の形態では、１つの制作物データを複数の表示モードで表示する表示装置を提案する。但し、以下では、複数の表示モードとして２つの表示モードを例にとり、これを基本モード及び重ねモードとして説明する。
【００１３】
まず、基本モードについて説明する。基本モードは、ＲＧＢ、ＣＭＹＫ等の何れかの表色系を予め設定してその表色系でデータを表示するモードとすればよい。ここでは、基本モードを、制作物データをＲＧＢ表色系で表現した画像（以下、「ＲＧＢ画像」という）を表示するモードとする。尚、このＲＧＢ画像は、表示装置のキャリブレーション補正を反映させた画像である方がよい。
【００１４】
次に、重ねモードについて説明する。重ねモードは、基本モードとは別の表色系でデータを表示するモードとすればよい。ここでは、重ねモードを、制作物データのＲＧＢ画像を一旦印刷用のＣＭＹＫに変換して更に変換した表示用のＲＧＢ画像を表示するモードとする。この表示用のＲＧＢ画像は、制作物データのＲＧＢ画像に比べて、少なくとも彩度が低くなっている。とはいえ、何れもＲＧＢ画像であるので、以下では、これらを区別し易くするために、ＣＭＹＫを経由した方のＲＧＢ画像を「ＣＭＹＫ画像」と表記することにする。
【００１５】
尚、ここでは、重ねモードを、ＣＭＹＫ画像を表示するモードとしたが、これには限らない。例えば、他の表示装置用のＲＧＢ画像、色を識別し難い人のためのＣＵＤ（カラーユニバーサルデザイン）画像、媒体（用紙等）のテクスチャに画像データをレンダリングした画像等を表示するモードであってもよい。特に、媒体のテクスチャに画像データをレンダリングした画像を表示するモードでは、照明方向等の観察環境又は観察環境の時間や季節による変化を考慮した画像を表示してもよいし、媒体のページめくり感を表すための音を付加した画像を表示してもよい。
【００１６】
また、ここでは、重ねモードを１つとしたが、重ねモードは２つ以上としてもよい。そして、その場合は、それぞれに異なる表色系で表現された画像を表示するモードを割り当てるとよい。更に、重ねウィンドウ３２に割り当てる表示モードは、変更可能としてもよい。
【００１７】
図１は、このような表示装置が表示するＧＵＩ（Graphic User Interface）の一例を示した図である。図示するように、このＧＵＩは、ウェブブラウザ画面等の通常ウィンドウ３１と、これに重ねて表示された重ねウィンドウ３２とを含む。本実施の形態では、通常ウィンドウ３１が基本モードに設定され、重ねウィンドウ３２が重ねモードに設定される。つまり、通常ウィンドウ３１における制作物データの画像の表示色が、例えば、ＲＧＢ色、ＣＭＹＫ色、グレー、ダブルトーン（色付きグレーを含む）、セピアであったとすると、重ねウィンドウ３２を重ねた領域のみ、こういった表示色が他の表示色に変更されて表示される。図では、重ねウィンドウ３２内のりんご及び地面の表示色が、通常ウィンドウ３１とは異なっていることを、斜線ハッチングで示している。
【００１８】
また、図１では、通常ウィンドウ３１と重ねウィンドウ３２との間に、厚みがある境界３３も示した。しかしながら、一般には、境界３３の厚みがない方が、通常ウィンドウ３１内の画像と重ねウィンドウ３２内の画像との比較は容易になる。そこで、境界３３の厚みはなくしてもよい。図２は、通常ウィンドウ３１と重ねウィンドウ３２との間の境界の厚みをなくした場合のＧＵＩの一例を示した図である。但し、重ねウィンドウ３２を移動させたり拡大縮小させたりするためには、重ねウィンドウ３２を認識して掴む操作（例えば、マウスポインタを合わせる操作）が必要になる。そこで、厚みのない境界の全部又は一部を表示したり、厚みがある境界であっても比較の妨げとならない部分のみを表示したりするとよい。図では、比較の妨げとならない部分の一例として、重ねウィンドウ３２の四隅に境界３４ａ〜３４ｄを表示している。
【００１９】
このように、重ねウィンドウ３２に対しては、移動や拡大縮小の操作が行われる。その際、重ねウィンドウ３２には、２つの意味付けの何れかがなされる。以下、重ねウィンドウ３２に１つ目の意味付けがなされた場合を第１の実施の形態として、２つ目の意味付けがなされた場合を第２の実施の形態として、それぞれを詳細に説明する。
【００２０】
［第１の実施の形態］
（概要）
第１の実施の形態は、重ねウィンドウ３２に、常にそれが重なっている領域の画像を重ねモードで表示するという意味付けがなされた場合の実施の形態である。
【００２１】
図３は、第１の実施の形態で重ねウィンドウ３２を移動させたときの状態の例を示した図である。この図では、重ねウィンドウ３２を雲の位置に移動させている。従って、重ねウィンドウ３２には、雲及び空が表示されている。そして、その表示色が、通常ウィンドウ３１とは異なっていることを、斜線ハッチングで示している。
【００２２】
これにより、例えば、基本モードがＲＧＢ画像を表示するモードで、重ねモードがＣＭＹＫ画像を表示するモードであれば、制作物データのＲＧＢ画像がどのようなＣＭＹＫ画像になるかが分かる。
【００２３】
以下、このような表示を実現する表示システムについて説明する。このような表示システムとしては、重ね画像の生成方法の観点から２つの実施例が考えられる。
【００２４】
（第１の実施例の表示システムの構成）
図４は、第１の実施例における表示システム１０の構成例を示したブロック図である。この表示システム１０では、保持装置の一例としてのサーバ２０が、制作物データ記憶部４１と、基本モード画像生成部４２と、基本モード画像記憶部４３と、重ねモード画像生成部４４と、重ねモード画像記憶部４５と、重ね画像生成部４６とを含んでいる。そして、表示装置の一例としてのクライアント３０が、操作受付部４８と、画像出力部４９とを含んでいる。
【００２５】
制作物データ記憶部４１は、制作物データを記憶する。本実施の形態では、元データの一例として、制作物データを用いている。
【００２６】
基本モード画像生成部４２は、制作物データ記憶部４１に記憶された制作物データが例えば文書データであれば、これに対し、基本モードで表示される画像に変換する処理を行うことにより、基本モード画像を生成する。本実施の形態では、第１の画像処理の一例として、基本モードで表示される画像に変換する処理を用いており、第１の画像の一例として、基本モード画像を用いている。
【００２７】
基本モード画像記憶部４３は、基本モード画像生成部４２により生成された基本モード画像を記憶する。
【００２８】
重ねモード画像生成部４４は、制作物データ記憶部４１に記憶された制作物データの全体又は指定されたページに対し、重ねモードで表示される画像に変換する処理を行うことにより、重ねモード画像を生成する。本実施の形態では、第２の画像処理の一例として、重ねモードで表示される画像に変換する処理を用いている。
【００２９】
重ねモード画像記憶部４５は、重ねモード画像生成部４４により生成された重ねモード画像を記憶する。
【００３０】
重ね画像生成部４６は、重ねモード画像記憶部４５に記憶された重ねモード画像から、操作受付部４８で受け付けた操作により指定された領域の画像を切り出すことにより、重ね画像を生成する。本実施の形態では、第２の画像の一例として、重ね画像を用いている。
【００３１】
操作受付部４８は、入力デバイス９６（図１１参照）から、通常ウィンドウ３１上の領域を指定する操作を受け付ける。このような操作としては、まず、通常ウィンドウ３１上に重ねウィンドウ３２を作成する操作（以下、「作成操作」という）がある。また、通常ウィンドウ３１上で重ねウィンドウ３２を移動させる操作（以下、「移動操作」という）もある。更に、通常ウィンドウ３１上の重ねウィンドウ３２を拡大又は縮小する操作（以下、「拡縮操作」という）もある。ここで、このような操作は、マウスでのボタンの押下、指でのタッチパネルの押下、キーボードにおけるキーの押下、ジェスチャ等によって行うとよい。本実施の形態では、第１の画像上の領域の指定を受け付ける受付手段の一例として、操作受付部４８を設けている。
【００３２】
画像出力部４９は、通常ウィンドウ３１内に表示する画像として、基本モード画像記憶部４３に記憶された基本モード画像を表示機構９５（図１１参照）に出力し、重ねウィンドウ３２内に表示する画像として、重ね画像生成部４６により生成された重ね画像を表示機構９５（図１１参照）に出力する。その際、画像出力部４９は、操作受付部４８が作成操作、移動操作、拡縮操作の何れを受け付けたかに応じて、通常ウィンドウ３１上の重ねウィンドウ３２の表示位置を調整する。
【００３３】
（第１の実施例の表示システムの動作）
図５は、第１の実施例における表示システム１０の動作例を示したフローチャートである。尚、この動作は、制作物データ記憶部４１に記憶された制作物データのうちの指定された制作物データの指定されたページの表示が指示されることにより、開始するものとする。
【００３４】
動作が開始すると、まず、基本モード画像生成部４２が、指定された制作物データの指定されたページに対して、基本モードに応じた画像処理を行うことにより、基本モード画像を生成する（ステップ４０１）。尚、画像処理は、指定された制作物データの全体に対して行ってもよいが、ここでは指定されたページに対してのみ行うこととしている。また、これにより、基本モード画像は、基本モード画像記憶部４３に記憶される。
【００３５】
次に、画像出力部４９が、基本モード画像記憶部４３に記憶された基本モード画像を表示機構９５（図１１参照）に出力する（ステップ４０２）。これにより、表示機構９５は、基本モード画像を含む通常ウィンドウ３１を表示する。
【００３６】
一方で、重ねモード画像生成部４４が、指定された制作物データの指定されたページに対して、重ねモードに応じた画像処理を行うことにより、重ねモード画像を生成する（ステップ４０３）。尚、画像処理は、指定された制作物データの全体に対して行ってもよいが、ここでは指定されたページに対してのみ行うこととしている。また、これにより、重ねモード画像は、重ねモード画像記憶部４５に記憶される。
【００３７】
その後、操作受付部４８が、入力デバイス９６（図１１参照）から、通常ウィンドウ３１上での操作を受け付ける（ステップ４０４）。そして、この操作の種類を判定する（ステップ４０５）。これにより、判定された操作の種類は、重ね画像生成部４６に伝えられる。
【００３８】
重ね画像生成部４６に伝えられた操作の種類が、重ねウィンドウ３２の作成操作であったとする。この場合、重ね画像生成部４６は、重ねモード画像記憶部４５に記憶された重ねモード画像から、作成操作で指定された領域の画像を切り出すことにより、重ね画像を生成する（ステップ４０６）。すると、画像出力部４９が、この重ね画像を含む重ねウィンドウ３２が通常ウィンドウ３１上の作成操作で指定された領域に表示されるように、重ね画像を表示機構９５（図１１参照）に出力する（ステップ４０７）。
【００３９】
また、重ね画像生成部４６に伝えられた操作の種類が、重ねウィンドウ３２の移動操作であったとする。この場合、重ね画像生成部４６は、重ねモード画像記憶部４５に記憶された重ねモード画像から、移動操作で指定された領域の画像を切り出すことにより、重ね画像を生成する（ステップ４０８）。すると、画像出力部４９が、この重ね画像を含む重ねウィンドウ３２が通常ウィンドウ３１上の移動操作で指定された領域に表示されるように、重ね画像を表示機構９５（図１１参照）に出力する（ステップ４０９）。尚、このとき、表示機構９５は、移動元の領域に表示された重ねウィンドウ３２を消してよい。
【００４０】
更に、重ね画像生成部４６に伝えられた操作の種類が、重ねウィンドウ３２の拡縮操作であったとする。この場合、重ね画像生成部４６は、重ねモード画像記憶部４５に記憶された重ねモード画像から、拡縮操作で指定された領域の画像を切り出すことにより、重ね画像を生成する（ステップ４１０）。すると、画像出力部４９が、この重ね画像を含む重ねウィンドウ３２が通常ウィンドウ３１上の拡縮操作で指定された領域に表示されるように、重ね画像を表示機構９５（図１１参照）に出力する（ステップ４１１）。尚、このとき、拡大縮小前の領域に表示された重ねウィンドウ３２を消してよい。
【００４１】
その後、処理はステップ４０４に戻り、操作受付部４８が、入力デバイス９６（図１１参照）から、通常ウィンドウ３１上での操作を再び受け付ける。尚、図には示さなかったが、操作受付部４８が制作物データの表示を終了させる操作を受け付けると、このフローチャートの動作も終了する。
【００４２】
以上述べたように、この第１の実施例は、サーバ２０が重ね画像を生成し、クライアント３０がサーバ２０からそれを呼び出すサーバサイド処理を行うものである。これは、初期の重ね画像の生成のためには簡易な構成である。また、クラウドサービスのような大規模システムに相応しい構成でもある。
【００４３】
しかしながら、この第１の実施例では、一般的なサーバ構成やネットワークの制限のあるシステム構成を採用した場合、制作物データのサイズが大きいと、処理コストの問題が生ずる。例えば、大量のメモリが必要になることによる遅延や、ネットワークアクセスによる遅延の問題である。また、予め準備できない処理の問題もある。この問題の例としては、拡大縮小等のサイズ変更が指示された場合にスムーズに表示内容を変更できないというものがある。
【００４４】
そこで、このような問題に対して、サーバサイドだけでの処理をクライアントサイドでの処理に、処理の負荷量に応じて分担させる方法が考えられる。クライアントサイドでの処理としては、例えばクライアントへ配布する（ウェブ）アプリケーション等であれば、自由にクライアント側のアプリケーションで任意の処理が実行可能であり、またウェブブラウザ（ＨＴＭＬ５でのＧＵＩ）対応であれば、ＪａｖａＳｃｒｉｐｔ（登録商標）の切り替えや専用のプラグインによる拡張等が利用できる。このサーバサイド処理とクライアントサイド処理を、サーバやネットワーク負荷やクライアントのリソース等に応じて任意に切り替えることが望ましい。ここでの負荷の計測方法としては、処理の待ち時間を利用する方法等、公知の方法が考えられる。
【００４５】
（第２の実施例の表示システムの構成）
図６は、第２の実施例における表示システム１０の構成例を示したブロック図である。この表示システム１０では、保持装置の一例としてのサーバ２０が、制作物データ記憶部５１を含んでいる。そして、表示装置の一例としてのクライアント３０が、基本モード画像生成部５２と、基本モード画像記憶部５３と、重ね画像生成部５６と、操作受付部５８と、画像出力部５９とを含んでいる。
【００４６】
制作物データ記憶部５１、基本モード画像生成部５２、基本モード画像記憶部５３、操作受付部５８及び画像出力部５９は、それぞれ、第１の実施例における制作物データ記憶部４１、基本モード画像生成部４２、基本モード画像記憶部４３、操作受付部４８及び画像出力部４９と同じなので、説明を省略する。
【００４７】
重ね画像生成部５６は、基本モード画像記憶部５３に記憶された基本モード画像のうち、操作受付部５８で受け付けた操作により指定された領域の画像に対し、重ねモードで表示される画像に変換する処理を行うことにより、重ね画像を生成する。本実施の形態では、第２の画像処理の一例として、重ねモードで表示される画像に変換する処理を用いており、第２の画像の一例として、重ね画像を用いている。
【００４８】
（第２の実施例の表示システムの動作）
図７は、第２の実施例における表示システム１０の動作例を示したフローチャートである。尚、この動作は、制作物データ記憶部５１に記憶された制作物データのうちの指定された制作物データの指定されたページの表示が指示されることにより、開始するものとする。
【００４９】
動作が開始すると、まず、ステップ５０１及びステップ５０２が実行される。但し、ステップ５０１及びステップ５０２は、それぞれ、図５のステップ４０１及びステップ４０２と同じなので、説明を省略する。
【００５０】
その後、操作受付部５８が、入力デバイス９６（図１１参照）から、通常ウィンドウ３１上での操作を受け付ける（ステップ５０３）。そして、この操作の種類を判定する（ステップ５０４）。これにより、判定された操作の種類は、重ね画像生成部５６に伝えられる。
【００５１】
重ね画像生成部５６に伝えられた操作の種類が、重ねウィンドウ３２の作成操作であったとする。この場合、重ね画像生成部５６は、基本モード画像記憶部５３に記憶された基本モード画像から、作成操作で指定された領域の画像を切り出し、この画像に対して重ねモードに応じた画像処理を行うことにより、重ね画像を生成する（ステップ５０５）。すると、画像出力部５９が、この重ね画像を含む重ねウィンドウ３２が通常ウィンドウ３１上の作成操作で指定された領域に表示されるように、重ね画像を表示機構９５（図１１参照）に出力する（ステップ５０６）。
【００５２】
また、重ね画像生成部５６に伝えられた操作の種類が、重ねウィンドウ３２の移動操作であったとする。この場合、重ね画像生成部５６は、基本モード画像記憶部５３に記憶された基本モード画像から、移動操作で指定された領域の画像を切り出し、この画像に対して重ねモードに応じた画像処理を行うことにより、重ね画像を生成する（ステップ５０７）。すると、画像出力部５９が、この重ね画像を含む重ねウィンドウ３２が通常ウィンドウ３１上の移動操作で指定された領域に表示されるように、重ね画像を表示機構９５（図１１参照）に出力する（ステップ５０８）。尚、このとき、表示機構９５は、移動元の領域に表示された重ねウィンドウ３２を消してよい。
【００５３】
更に、重ね画像生成部５６に伝えられた操作の種類が、重ねウィンドウ３２の拡縮操作であったとする。この場合、重ね画像生成部５６は、基本モード画像記憶部５３に記憶された基本モード画像から、拡縮操作で指定された領域の画像を切り出し、この画像に対して重ねモードに応じた画像処理を行うことにより、重ね画像を生成する（ステップ５０９）。すると、画像出力部５９が、この重ね画像を含む重ねウィンドウ３２が通常ウィンドウ３１上の拡縮操作で指定された領域に表示されるように、重ね画像を表示機構９５（図１１参照）に出力する（ステップ５１０）。尚、このとき、表示機構９５は、拡大縮小前の領域に表示された重ねウィンドウ３２を消してよい。
【００５４】
その後、処理はステップ５０３に戻り、操作受付部５８が、入力デバイス９６（図１１参照）から、通常ウィンドウ３１上での操作を再び受け付ける。尚、図には示さなかったが、操作受付部５８が制作物データの表示を終了させる操作を受け付けると、このフローチャートの動作も終了する。
【００５５】
以上述べたように、この第２の実施例は、サーバ２０が重ね画像を生成せず、クライアント３０が操作を受け付ける都度重ね画像を生成するものであり、クライアントサイド処理と呼ばれることがある。
【００５６】
しかしながら、この第２の実施例でも、演算スペック（電池の持ち時間を含む）が低いタブレット等を採用した場合、処理コストの問題が生じる。
【００５７】
そこで、重ね画像の変更及び表示のための負荷量に応じて、第１の実施例の構成と第２の実施例の構成とを切り替えることが考えられる。例えば、重ね画像の変更が主に色変換や拡大縮小によるものであれば、負荷量が小さいため、第２の実施例の構成が効果的であることが多い。また、複数ページに跨る処理については、一部の処理をクライアント３０で行い、クライアント３０のメモリ量や演算性能が基準を満たさなければ、サーバ２０に対して残りの処理の要求を送るとよい。更に、重ね画像の生成も、クライアント３０のアプリケーション機能によって負荷量が異なることから、これに応じて第１の実施例の構成と第２の実施例の構成とを切り替えるようにしてよい。更にまた、処理の要求を送ってから画像が表示されるまでの時間を無視すれば、最も安全で完全に処理ができるのはサーバサイド処理であることから、処理の要求を送ることによって強制的にサーバ２０で処理するようにしてもよい。
【００５８】
このシステムは、換言すれば、サーバ２０で制作物データから２つ以上の表示モードの画像を生成してクライアント３０に送る手段と、クライアント３０で操作に応じて他の表示モードの画像を生成して表示する手段と、これらの画像を生成する手段を表示負荷量に応じて切り替える手段とを備えた表示システム１０である。
【００５９】
尚、この第１の実施の形態では、表示システム１０の構成要素をサーバ２０とクライアント３０とに分けて設けた例を示したが、この限りではない。表示システム１０の構成要素を１台のコンピュータである表示装置に設けてもよい。
【００６０】
［第２の実施の形態］
（概要）
第２の実施の形態は、重ねウィンドウ３２に、それが重なっている領域の画像に関わらず、それまでの表示内容を保持するという意味付けがなされた場合の実施の形態である。
【００６１】
図８は、第２の実施の形態で重ねウィンドウ３２を移動させたときの状態の例を示した図である。この図でも、重ねウィンドウ３２を雲の位置に移動させている。しかしながら、重ねウィンドウ３２には、雲及び空は表示されず、図１で表示されていたりんご及び地面がそのままの表示色で表示されている。
【００６２】
尚、図８では、重ねウィンドウ３２を移動させたが、重ねウィンドウ３２は移動させず、通常ウィンドウ３１でページめくりを行うことにより、通常ウィンドウ３１に対して相対的に重ねウィンドウ３２を移動させるようにしてもよい。これにより、複数のページに跨る同一のデータに基づく画像の確認が容易になる。また、このとき、複数の重ねウィンドウ３２を並べて表示するようにしてもよい。
【００６３】
以下、このような表示を実現する表示システムについて説明する。
【００６４】
（表示システムの構成）
図９は、本実施の形態における表示システム１０の構成例を示したブロック図である。この表示システム１０では、保持装置の一例としてのサーバ２０が、制作物データ記憶部６１と、基本モード画像生成部６２と、基本モード画像記憶部６３と、重ねモード画像生成部６４と、重ねモード画像記憶部６５と、重ね画像生成部６６と、重ね画像記憶部６７とを含んでいる。そして、表示装置の一例としてのクライアント３０が、操作受付部６８と、画像出力部６９とを含んでいる。
【００６５】
制作物データ記憶部６１、基本モード画像生成部６２、基本モード画像記憶部６３、重ねモード画像生成部６４、重ねモード画像記憶部６５、操作受付部６８及び画像出力部６９は、それぞれ、第１の実施例における制作物データ記憶部４１、基本モード画像生成部４２、基本モード画像記憶部４３、重ねモード画像生成部４４、重ねモード画像記憶部４５、操作受付部４８及び画像出力部４９と同じなので、説明を省略する。
【００６６】
重ね画像生成部６６は、操作受付部６８で重ねウィンドウ３２の作成操作を受け付けた場合、重ねモード画像記憶部６５に記憶された重ねモード画像から、その作成操作により指定された領域の画像を切り出すことにより、重ね画像を生成し、これを重ね画像記憶部６７に記憶する。また、操作受付部６８で重ねウィンドウ３２の移動操作を受け付けた場合、先に生成した重ね画像を重ね画像記憶部６７から読み出す。更に、操作受付部６８で重ねウィンドウ３２の拡縮操作を受け付けた場合、先に生成した重ね画像を重ね画像記憶部６７から読み出し、その拡大又は縮小を行うことにより、新たな重ね画像を生成する。本実施の形態では、第２の画像の一例として、重ね画像を用いている。
【００６７】
重ね画像記憶部６７は、重ね画像生成部６６により生成された重ね画像を記憶する。本実施の形態では、第２の画像を記憶する記憶手段の一例として、重ね画像記憶部６７を設けている。
【００６８】
（表示システムの動作）
図１０は、本実施の形態における表示システム１０の動作例を示したフローチャートである。尚、この動作は、制作物データ記憶部６１に記憶された制作物データのうちの指定された制作物データの指定されたページの表示が指示されることにより、開始するものとする。
【００６９】
動作が開始すると、まず、ステップ６０１〜ステップ６０３が実行される。但し、ステップ６０１〜ステップ６０３は、それぞれ、図５のステップ４０１〜ステップ４０３と同じなので、説明を省略する。
【００７０】
その後、操作受付部６８が、入力デバイス９６（図１１参照）から、通常ウィンドウ３１上での操作を受け付ける（ステップ６０４）。そして、この操作の種類を判定する（ステップ６０５）。これにより、判定された操作の種類は、重ね画像生成部６６に伝えられる。
【００７１】
重ね画像生成部６６に伝えられた操作の種類が、重ねウィンドウ３２の作成操作であったとする。この場合、重ね画像生成部６６は、重ねモード画像記憶部６５に記憶された重ねモード画像から、作成操作で指定された領域の画像を切り出すことにより、重ね画像を生成する（ステップ６０６）。また、重ね画像を重ね画像記憶部６７に記憶する（ステップ６０７）。すると、画像出力部６９が、この重ね画像を含む重ねウィンドウ３２が通常ウィンドウ３１上の作成操作で指定された領域に表示されるように、重ね画像を表示機構９５（図１１参照）に出力する（ステップ６０８）。
【００７２】
また、重ね画像生成部６６に伝えられた操作の種類が、重ねウィンドウ３２の移動操作であったとする。この場合、重ね画像生成部６６は、重ね画像記憶部６７に記憶された重ね画像を読み出す（ステップ６０９）。すると、画像出力部６９が、この重ね画像を含む重ねウィンドウ３２が通常ウィンドウ３１上の移動操作で指定された領域に表示されるように、重ね画像を表示機構９５（図１１参照）に出力する（ステップ６１０）。尚、このとき、表示機構９５は、移動元の領域に表示された重ねウィンドウ３２を消してよい。
【００７３】
更に、重ね画像生成部６６に伝えられた操作の種類が、重ねウィンドウ３２の拡縮操作であったとする。この場合、重ね画像生成部６６は、重ね画像記憶部６７に記憶された重ね画像を読み出す（ステップ６１１）。また、拡縮操作で指定された領域に応じた拡縮率で重ね画像の拡大又は縮小を行う（ステップ６１２）。すると、画像出力部６９が、この拡大又は縮小後の重ね画像を含む重ねウィンドウ３２が通常ウィンドウ３１上の拡縮操作で指定された領域に表示されるように、重ね画像を表示機構９５（図１１参照）に出力する（ステップ６１３）。尚、このとき、表示機構９５は、拡大縮小前の領域に表示された重ねウィンドウ３２を消してよい。
【００７４】
その後、処理はステップ６０４に戻り、操作受付部６８が、入力デバイス９６（図１１参照）から、通常ウィンドウ３１上での操作を再び受け付ける。尚、図には示さなかったが、操作受付部６８が制作物データの表示を終了させる操作を受け付けると、このフローチャートの動作も終了する。
【００７５】
尚、この第２の実施の形態でも、表示システム１０の構成要素をサーバ２０とクライアント３０とに分けて設けた例を示したが、この限りではない。表示システム１０の構成要素を１台のコンピュータである表示装置に設けてもよい。
【００７６】
［変形例］
（画像の不具合の警告表示）
表示システム１０は、重ね画像を解析することにより検知した画像の不具合を重ねウィンドウ３２に警告表示してもよい。つまり、制作物データの画像のどの領域で画像の不具合が発生しているかを知らせる構成としてよい。このような画像の不具合としては、例えば、制作物データの画像がＲＧＢデータだけで構成されているはずなのにＣＭＹＫデータ（又は異なる規格のＲＧＢデータの混在）が存在していること、制作物データの画像の階調性が破綻していること、制作物データの画像の表示色が色域外にあること等がある。このような不具合のそれぞれについて、様々な公知の解析手法が存在するので、これを利用して不具合を検知すればよい。
【００７７】
（重ねウィンドウの表示切り替え）
表示システム１０は、重ねウィンドウ３２のサイズを、通常ウィンドウ３１よりも小さなサイズから、通常ウィンドウ３１と同一のサイズに切り替えるようにしてもよい。これにより、通常ウィンドウ３１内の画像と重ねウィンドウ３２内の画像とを比較した際、制作物データの部分的な違いだけでなく、全体的な印象の違いが簡単に分かるようになる。
【００７８】
また、表示システム１０は、重ねウィンドウ３２の表示及び非表示を切り替えるようにしてもよい。これにより、通常ウィンドウ３１内の画像と重ねウィンドウ３２内の画像との差分がより明瞭となり、その確認が容易になる。
【００７９】
（複数の制作物データに基づく処理）
これまで、表示システム１０は、１つの制作物データの画像を基本モード及び重ねモードで表示して色の状態を比較するようにしたが、この限りではない。原理上、同じ目的の２つの制作物データ、例えば、部分的にレタッチした画像どうしを、より良い方を選ぶために比較するようにしてもよい。
【００８０】
［コンピュータのハードウェア構成］
上述したように、本実施の形態は、サーバ２０とクライアント３０とからなる表示システム１０、又は、表示システム１０の機能に対応する１台のコンピュータである表示装置により実現される。そこで、本実施の形態がコンピュータ９０により実現されるものとして、このコンピュータ９０のハードウェア構成について説明する。
【００８１】
図１１は、コンピュータ９０のハードウェア構成例を示した図である。図示するように、コンピュータ９０は、演算手段であるＣＰＵ（Central Processing Unit）９１と、記憶手段であるメインメモリ９２及び磁気ディスク装置（ＨＤＤ：Hard Disk Drive）９３とを備える。ここで、ＣＰＵ９１は、ＯＳ（Operating System）やアプリケーション等の各種ソフトウェアを実行し、上述した各処理部を実現する。また、メインメモリ９２は、各種ソフトウェアやその実行に用いるデータ等を記憶し、磁気ディスク装置９３は、各種ソフトウェアに対する入力データや各種ソフトウェアからの出力データ等を記憶し、これらの一方又は両方が上述した各記憶部を実現する。更に、コンピュータ９０は、外部との通信を行うための通信Ｉ／Ｆ９４と、ビデオメモリやディスプレイ等からなる表示手段の一例としての表示機構９５と、キーボードやマウス等の入力デバイス９６とを備える。
【００８２】
尚、本実施の形態を実現するプログラムは、通信手段により提供することはもちろん、ＣＤ−ＲＯＭ等の記録媒体に格納して提供することも可能である。
【符号の説明】
【００８３】
１０…表示システム、２０…サーバ、３０…クライアント、４１，５１，６１…制作物データ記憶部、４２，５２，６２…基本モード画像生成部、４３，５３，６３…基本モード画像記憶部、４４，６４…重ねモード画像生成部、４５，６５…重ねモード画像記憶部、４６，５６，６６…重ね画像生成部、６７…重ね画像記憶部、４８，５８，６８…操作受付部、４９，５９，６９…画像出力部
【図１】
0006476985.tif 000002
【図２】
0006476985.tif 000003
【図３】
0006476985.tif 000004
【図４】
0006476985.tif 000005
【図５】
0006476985.tif 000006
【図６】
0006476985.tif 000007
【図７】
0006476985.tif 000008
【図８】
0006476985.tif 000009
【図９】
0006476985.tif 000010
【図１０】
0006476985.tif 000011
【図１１】
0006476985.tif 000012